(57)【特許請求の範囲】
【請求項１】
所定の間隔で一対の軸受凹部を配置した装身具用枠体と、当該装身具用枠体に一体的に保持された装飾部材とを備え、
他方、延長端部に上向きにピボット状の支軸が形成された揺動アーム部を両側に突設した吊下げ部材を用意し、
前記装身具用枠体に配置された軸受凹部に、前記揺動アーム部のピボット状の支軸が係合することにより、装飾部材を備えた装身具用枠体を吊下げ部材に揺動自在に取り付けたことを特徴とする装身具。
【請求項２】
前記吊下げ部材は、その背面から後方に延長したのち下向きに折返して形成した、身体との間隔を保持するためのスペーサを備え、装飾部材を備えた装身具用枠体を吊下げ部材に確実に揺動自在に取り付けられるようにしたことを特徴とする請求項１に記載の装身具。
【発明の詳細な説明】
【技術分野】
【０００１】
本発明は、宝石を揺動可能としたペンダントやブローチ、指輪、ブレスレット等の装身具に関する。
【背景技術】
【０００２】
近年、着用時にダイヤモンド等の宝石をそのテーブル面が正面を向いた状態で、着用者の動きに応じて宝石が揺動するように支持する構造の身飾品が種々提案されている。
そのような先行技術としては、特開２０１３−２２６４６２号公報（特許文献１参照）のような身飾品が知られており、該身飾品における枠組部材と装飾物とを係合する係合部は、前記装飾物の中心に対して上下方向と直交する左右方向の左側に設けられ第１のリング部と、前記装飾物の中心に対して右側に設けられ第２のリング部と、前記枠組部材の前記第１のリング部の側に設けられ、前記第１のリング部とつながれた第３のリング部と、前記枠組部材の前記第２のリング部の側に設けられ、前記第２のリング部とつながれた第４のリング部とを有する。
【先行技術文献】
【特許文献】
【０００３】
【特許文献１】特開２０１３−２２６４６２号公報
【発明の概要】
【発明が解決しようとする課題】
【０００４】
しかしながら、前記身飾品においては連結した一対のリングどうしで装飾物を保持しているために、動きにぎこちなさがあったり、均一な品質の身飾品を得にくいという問題があった。
本発明は、上記不具合を解消すべく発明されたものであり、装飾部材の動きがスムーズで、均一な品質の装身具を得ようとするものである。
【課題を解決するための手段】
【０００５】
すなわち本発明の装身具は、所定の間隔で一対の軸受凹部を配置した装身具用枠体と、当該装身具用枠体の軸受凹部間に差渡されて揺動可能に保持された装飾部材とを備え、前記装飾部材は、適所で上方に屈曲したのち水平方向に延長され、かつ延長端部には下向きにピボット状の支軸が形成された揺動アーム部をその両側に突設され、前記装身具用枠体に形成された軸受凹部に、前記揺動アーム部のピボット状の支軸が係合することにより、装飾部材を装身具用枠体に揺動自在に取り付けたものである。
【０００６】
本発明の装身具において、前記装飾部材の重心は、前記ピボット状の支軸の先端よりも下方に位置させてあるものである。
【０００７】
本発明の装身具において、前記ピボット状の支軸は、前記装身具用枠体に形成された軸受凹部に該支軸の上端が接触しないよう先端を外向きに傾斜させてあるものである。
【０００８】
本発明の装身具において、前記揺動アーム部を保持する装身具用枠体は、前記軸受凹部を揺動アーム部を内蔵した状態で一体に形成されているものである。
【０００９】
本発明の装身具において、前記揺動アーム部を保持する装身具用枠体は、前記軸受凹部に前記揺動アーム部を挿通する開口部を形成されており、かつ前記揺動アーム部がセットされた状態で前記開口部に取り付ける駒状ストッパにより前記開口部が封鎖されているものである。
【００１０】
本発明の装身具において、前記揺動アーム部を保持する装身具用枠体は、前記軸受凹部に前記揺動アーム部を挿通する開口部を形成された保持筒を取り付けられ、かつ前記揺動アーム部がセットされた状態で前記保持筒に取り付けた筒状ストッパにより前記開口部が封鎖されているものである。
【００１１】
本発明の装身具は、所定の間隔で一対の軸受凹部を配置した装身具用枠体と、当該装身具用枠体に一体的に保持された装飾部材とを備え、
他方、延長端部に上向きにピボット状の支軸が形成された揺動アーム部を両側に突設した吊下げ部材を用意し、
前記装身具用枠体に配置された軸受凹部に、前記揺動アーム部のピボット状の支軸が係合することにより、装飾部材を備えた装身具用枠体を吊下げ部材に揺動自在に取り付けたことを特徴とするものである。
【００１２】
本発明の装身具において、前記吊下げ部材は、その背面から後方に延長したのち下向きに折返して形成した、身体との間隔を保持するためのスペーサを備え、装飾部材を備えた装身具用枠体を吊下げ部材に確実に揺動自在に取り付けられるようにしたことをも特徴とするものである。
【発明の効果】
【００１３】
以上説明したように本発明に係る装飾部材を揺動可能に取り付けてなる装身具は、適所で上方に屈曲したのち水平方向に延長され、かつ延長端部には下向きにピボット状の支軸が形成された揺動アーム部を前記装飾部材の両側に突設され、前記装身具用枠体に形成された軸受凹部に、前記揺動アーム部のピボット状の支軸が係合することにより、装飾部材を装身具用枠体に揺動自在に取り付けたものである。
そうすることによって、装飾部材の動きがスムーズで、均一な品質の装身具を得ることができるようになった。
また本発明の装身具は、所定の間隔で一対の軸受凹部を配置した装身具用枠体と、当該装身具用枠体に一体的に保持された装飾部材とを備え、他方、延長端部に上向きにピボット状の支軸が形成された揺動アーム部を両側に突設した吊下げ部材を用意し、前記装身具用枠体に配置された軸受凹部に、前記揺動アーム部のピボット状の支軸が係合することにより、装飾部材を備えた装身具用枠体を吊下げ部材に揺動自在に取り付けたものである。
したがって、前記装身具用枠体の軸受凹部への、吊下げ部材の揺動アーム部の取り付けや抜け止めを簡単かつ確実に行うことができる。もちろん、揺動アーム部等が前記装身具用枠体内に収納されて外部からは見えなくなるため、より装飾性に富んだ装身具を提供することができる。
【図面の簡単な説明】
【００１４】
【図１】本発明の装身具の第１の例を示す概略正面図である。
【図２】その概略側面図である。
【図３】その概略断面図である。
【図４】装身具用枠体と装飾部材の分解状態の部分断面斜視図である。
【図５】装身具用枠材に装飾部材を取り付けた状態の部分断面斜視図である。
【図６】本発明の装身具の第１の例の変形例を示す部分断面正面図である。
【図７】その軸受凹部の概略側面図である。
【図８】本発明の装身具の第２の例を示す概略側面図である。
【図９】その概略断面図である。
【図１０】本発明の装身具の第３の例を示すものであり、装飾部材を保持筒に取り付けようとする状態の概略側面図である。
【図１１】その概略断面図である。
【図１２】装飾部材を保持筒に取り付けた状態の概略側面図である。
【図１３】その概略断面図である。
【図１４】保持筒上の筒状ストッパを回して開口部を閉じた状態の概略側面図である。
【図１５】その概略断面図である。
【図１６】本発明の装身具の第４の例を示す概略斜視図である。
【図１７】その背面側から見た概略斜視図である。
【図１８】その概略縦断面図である。
【図１９】その部分断面背面図である。
【図２０】その水平方向に切断した状態の概略断面図である。
【図２１】装飾部材の両側に突設した揺動アーム部を装身具用枠体に形成された軸受凹部に取り付けようとする状態の部分切断斜視図である。
【図２２】揺動アーム部を軸受凹部にはめ込み、下向きに回動させようとする状態の部分切断斜視図である。
【図２３】筒状ストッパを回して開口部を閉じようとする状態の部分切断斜視図である。
【図２４】装飾部材の両側に突設した揺動アーム部の装身具用枠体に形成された軸受凹部への取り付けが完了した状態の部分切断斜視図である。
【図２５】本発明の装身具の第１実施例を示す概略正面図である。
【図２６】その概略背面図である。
【図２７】その概略平面図である。
【図２８】その概略縦断面図である。
【図２９】その概略斜視図である。
【図３０】その部分切断斜視図である。
【図３１】揺動アーム部を装飾部材に形成された軸受凹部に取り付けようとする状態の部分切断斜視図である。
【図３２】揺動アーム部を軸受凹部にはめ込み、上向きに回動させようとする状態の部分切断斜視図である。
【図３３】揺動アーム部を装飾部材に形成された軸受凹部に取り付けた状態の部分切断斜視図である。
【図３４】本発明の装身具の第１実施例の変形例を示すものであり、前記揺動アーム部がその背後に身体との間隔を保つスペーサを取り付けられている状態を示す部分切断斜視図である。
【図３５】前記揺動アーム部を示す概略正面図である。
【図３６】その概略側面図である。
【図３７】その概略縦断面図である。
【図３８】スペーサの正面図である。
【図３９】スペーサの背面図である。
【図４０】スペーサの側面図である。
【図４１】スペーサの縦断面図である。
【図４２】スペーサを吊下げ部材に組み付けた状態の正面図である。
【図４３】スペーサを吊下げ部材に組み付けた状態の背面図である。
【図４４】スペーサを吊下げ部材に組み付けた状態の側面図である。
【図４５】スペーサを吊下げ部材に組み付けた状態の縦断面図である。
【図４６】スペーサを組み付けた吊下げ部材を装身具用枠体に取り付けた状態の正面図である。
【図４７】スペーサを組み付けた吊下げ部材を装身具用枠体に取り付けた状態の背面図である。
【図４８】スペーサを組み付けた吊下げ部材を装身具用枠体に取り付けた状態の側面図である。
【図４９】スペーサを組み付けた吊下げ部材を装身具用枠体に取り付けた状態の縦断面図である。
【図５０】チェーンを装身具に取り付けた状態の側面図である。
【発明を実施するための形態】
【００１５】
以下本発明に係る装身具の実施の形態を、装身具としてペンダントを例にして説明する。
図１ないし図５に示すように、第１の例のペンダントトップからなる装身具１１は、所定の間隔で一対の軸受凹部を配置した装身具用枠体１２と、当該装身具用枠体１２の分岐アーム部１３，１３間に差渡されて揺動可能に保持された、例えばダイヤモンド等の宝石１４ａを係合した装飾部材１４とを備えている。
【００１６】
前記装飾部材１４は、適所で上方に屈曲したのち水平方向に延長され、かつ延長端部には下向きにピボット状の支軸１６が形成された揺動アーム部１５をその両側に突設されている。
図４に示す分解状態から、図５の組み付け状態とすることにより、当該揺動アーム部１５は、前記装身具用枠体１２に形成された軸受凹部２１に、前記揺動アーム部１５のピボット状の支軸１６が係合することにより、前記装飾部材１４を装身具用枠体１２に揺動自在に保持するようにしたものである。
【００１７】
本実施例の装身具１１において、前記装飾部材１４の重心は、前記ピボット状の支軸１６の先端よりも下方に位置させてある。したがって、装飾部材１４の宝石１４ａは安定して揺動し、くるくる回るようなことがない。
【００１８】
また、前記ピボット状の支軸１６は、図３ないし図５に示すように前記装身具用枠体１２に形成された軸受凹部２１の内壁部分に、該支軸１６の上端が接触しないよう先端を外向きに傾斜させてある。
したがって、前記ピボット状の支軸１６で支えられた前記揺動アーム部１５は、軸受凹部２１内で無理なく揺動させることができる。
【００１９】
本実施例の装身具１１において、前記揺動アーム部１５を保持する装身具用枠体１２は、前記軸受凹部２１に前記装飾部材１４の揺動アーム部１５を内蔵した状態で一体に形成されている。
前記装身具１１において、装身具用枠体１２と前記前記装飾部材１４とを一体に形成するには、以下のような手段を採用することができる。
１）装身具用枠体１２の分岐アーム部１３，１３を図３の矢印Ａ１の外方向に広げておき、前記軸受凹部２１に前記装飾部材１４の揺動アーム部１５を内蔵した上で矢印Ａ１の内方向に負荷をかけて閉じればよい。
２）前記軸受凹部２１の少なくとも一方側に開口部を設けて水平方向に脱着可能な駒状ストッパ２１ａを設けておき、該駒状ストッパ２１ａを矢印Ａ２の外方向に外した状態で前記装飾部材１４の揺動アーム部１５を前記軸受凹部２１にはめ込み、その後駒状ストッパ２１ａを矢印Ａ２の内方向にはめ込む。
３）前記軸受凹部２１の少なくとも一方側に開口部を設けて垂直方向に脱着可能な駒状ストッパ２１ｂを設けておき、該駒状ストッパ２１ｂを矢印Ａ３の下方向に外した状態で前記装飾部材１４の揺動アーム部１５を前記軸受凹部２１にはめ込み、その後駒状ストッパ２１ｂを矢印Ａ３の上方向にはめ込む。
【００２０】
次に、図６および図７に本発明の装身具の第１の例の変形例を示す。
本変形例でも、装身具１１は、分岐構造を備えた装身具用枠体１２と、当該装身具用枠体１２の分岐アーム部１３，１３間に差渡されて揺動可能に保持された、例えばダイヤモンド等の宝石１４ａを係合した装飾部材１４とを備えている。
ただし、本実施例においては前記装身具用枠体１２に設けた軸受凹部２１は、上部に円形断面の第１凹部２１ｃを、その下部には円形断面の第１凹部２１ａの下半部を取り巻くように円弧状の第２凹部２１ｄを設けられている。
このようにすれば、前記軸受凹部２１の円形断面の第１凹部２１ｃ内に前記装飾部材１４の揺動アーム部１５のピボット状の支軸１６部分を、また円弧状の第２凹部２１ｄ内に揺動アーム部１５の屈曲部１５ａをはめ込むことができ、より装飾性の高い装身具を提供することができる。
【００２１】
次に、図８および図９に本発明の装身具の第２の例を示す。
本実施例でも、装身具３１は、分岐構造を備えた装身具用枠体３２と、当該装身具用枠体３２の分岐アーム部３３，３３間に差渡されて揺動可能に保持された、例えばダイヤモンド等の宝石３４ａを係合した装飾部材３４とを備えている。
ただし、本実施例においては前記装身具用枠体３２は中空構造となっており、装身具用枠体３２には軸受凹部４１がプレス加工等によって所定の形状に形成されている。もちろん、前記軸受凹部４１には前記装飾部材３４の揺動アーム部３５のピボット状の支軸３６がはめ込まれている。
このように装身具用枠体３２を中空構造とすることにより、軽量化はもとより大幅なコスト低減をも図ることができる。
【００２２】
図１０ないし図１５は本発明の装身具の第３の例を示す。
本実施例でも、装身具５１は、分岐構造を備えた装身具用枠体５２と、当該装身具用枠体５２の分岐アーム部５３，５３間に差渡されて揺動可能に保持された、例えばダイヤモンド等の宝石５４ａを係合した装飾部材５４とを備えている。
ただし、本実施例においては前記装身具用枠体５２の軸受凹部６１には、揺動アーム部５５を挿通する開口部６３を形成された保持筒６２が取り付けてある。６４は前記開口部６３に対応する開口部６５を形成された筒状ストッパである。本実施例の装身具は次のようにして組み付けられ、使用される。
１）先ず、図１０および図１１のように前記揺動アーム部５５を保持筒６２および筒状ストッパの開口部６３，６５から差込む。
２）次に、図１２および図１３のように前記揺動アーム部５５を保持筒６２にセットする。
３）この状態で、図１４および図１５のように前記保持筒６２上の筒状ストッパ６４を回せば、前記保持筒６２の開口部６３が筒状ストッパ６４の開口部６５からずれて筒状ストッパ６４により封鎖される。
このようにすれば、前記装身具用枠体５２の軸受凹部６１への、装飾部材５４の揺動アーム部５５の取り付けや抜け止めを簡単かつ確実に行うことができる。
【００２３】
図１６ないし図２４は、本発明の装身具の第４の例を示すものである。
図１６ないし図２０に示すように、本実施例のペンダントトップからなる装身具７１は、ほぼリング状として分岐構造を備えさせた装身具用枠体７２と、当該装身具用枠体７２のリング状分岐アーム部７３間に差渡されて揺動可能に保持された、例えばダイヤモンド等の宝石７４ａを係合した装飾部材７４とを備えている。
【００２４】
前記装飾部材７４は、適所で上方に屈曲したのち水平方向に延長され、かつ延長端部には下向きにピボット状の支軸７６が形成された揺動アーム部７５をその両側に突設されている。
ただし、本実施例においては前記装身具用枠体７２の軸受凹部８１として、揺動アーム部７５を挿通する開口部８３を形成された保持筒８２が取り付けてある。８４は前記開口部８３に対応する開口部８５を形成された筒状ストッパである。本実施例の装身具は次のようにして組み付けられ、使用される。
１）先ず、図２１のように前記揺動アーム部７５を保持筒８２および筒状ストッパの開口部８３，８５から差込む。
２）次に、図２２のように前記揺動アーム部７５を保持筒８２にセットし、図２３のように、自重や手で回してピボット状の支軸７６が下向きになるようにする。
３）この状態で、図２４のように前記保持筒８２上の筒状ストッパ８４を回せば、前記保持筒８２の開口部８３が筒状ストッパ８４の開口部８５からずれて筒状ストッパ８４により封鎖される。
このようにすれば、前記装身具用枠体７２の軸受凹部８１への、装飾部材７４の揺動アーム部７５の取り付けや抜け止めを簡単かつ確実に行うことができる。もちろん、揺動アーム部７５等が前記装身具用枠体７２内に収納されて外部からは見えなくなるため、より装飾性に富んだ装身具を提供することができる。
なお、図１７ないし図２４において、７７は装飾部材７４に係合した宝石７４ａとの重心位置を調整するための筒状のバランスウエイトであり、該バランスウエイト７７の長さを増減させることによって重心位置を調整することが可能である。
【００２５】
次に、図２５ないし図３３は、本発明の装身具の第１実施例を示すものである。
図２５ないし図３０に示すように、本実施例のペンダントトップからなる装身具９１は、所定の間隔で一対の軸受凹部９３，９３を配置した装身具用枠体９２と、当該装身具用枠体９２に一体的に保持された、例えばダイヤモンド等の宝石９４ａを係合した装飾部材９４とを備えている。
【００２６】
この装飾部材９４を備えた装身具用枠体９２は、上端にはペンダントのチェーン（図示せず）等を挿通する吊下げ孔９６を備え、延長端部に上向きにピボット状の支軸９８が形成された揺動アーム部９７を両側に突設した吊下げ部材９５に吊り下げられて揺動する。
ただし、本実施例においては前記装身具用枠体９２の軸受凹部９３，９３として、揺動アーム部９７を挿通するガイド溝１０２を形成された円筒状断面の保持部１０１が設けてある。本実施例の装身具は次のようにして組み付けられ、使用される。
１）先ず、図３１のように前記吊下げ部材９５の揺動アーム部９７を保持部１０１のガイド溝１０２から差込む。
２）次に、図３２のように前記揺動アーム部９７を保持部１０１内にセットし、図３３のように、ピボット状の支軸９８が上向きになるようにする。
このようにすれば、前記装身具用枠体９２の軸受凹部９３，９３への、吊下げ部材９５の揺動アーム部９７の取り付けや抜け止めを簡単かつ確実に行うことができる。もちろん、揺動アーム部９７等が前記装身具用枠体９２内に収納されて外部からは見えなくなるため、より装飾性に富んだ装身具を提供することができる。
【００２７】
図３４ないし図５０は、本発明の装身具の第１実施例の変形例を示すものである。
図３４に示すように、本変形例のペンダントトップからなる装身具９１は、所定の間隔で一対の軸受凹部９３，９３を配置した装身具用枠体９２と、当該装身具用枠体９２に一体的に保持された、例えばダイヤモンド等の宝石９４ａを係合した装飾部材９４とを備えている。
【００２８】
この装飾部材９４を備えた装身具用枠体９２は、吊下げ部材９５に吊り下げられて揺動する。
この吊下げ部材９５は、図３５ないし図３７に示すように、上端にはペンダントのチェーン（図示せず）に取り付けた丸環等を挿通する吊下げ孔９６を備え、延長端部に上向きにピボット状の支軸９８が形成された揺動アーム部９７を両側に突設したものである。
【００２９】
次に、図３８ないし図４１において９９は、前記吊下げ部材９５の上方から後方に延長したのち下向きに折返して形成した、身体との間隔を保持するためのスペーサである。このスペーサ９９により、装飾部材９４を備えた装身具用枠体９２を吊下げ部材９５に吊り下げても装身具用枠体９２が身体に接触して動きを封じられることがなく、装飾部材９４を備えた装身具用枠体９２を確実に揺動自在に取り付けることができるようになる。
前記スペーサ９９はＵ字状をなしていて、前記吊下げ部材９５上方に設けた吊下げ孔９６にその一端をカシメ等の手段で連結・固定し、後方から下向きに折返して二股の安定片１００を設けたものである。
図４２ないし図４５は、前記吊下げ部材９５と該スペーサ９９とを組み付けた状態を示すものである。
【００３０】
図４６ないし図５０は、前記スペーサ９９を組み付けた吊下げ部材９５を装身具用枠体９２に取り付けた状態を示すものである。
このようにすれば、前記装身具用枠体９２の軸受凹部９３，９３へ、吊下げ部材９５の揺動アーム部９７のピボット状の支軸９８が無理なく保持され、図５０に示すようにチェーンを取り付ければ、着用時にダイヤモンド等の宝石類９４ａをそのテーブル面が正面を向いた状態で、着用者の動きに応じて宝石類９４ａが揺動するように支持することができる。もちろん、揺動アーム部９７等が前記装身具用枠体９２内に収納されて外部からは見えなくなるため、より装飾性に富んだ装身具を提供することができる。
なお、前記吊下げ部材９５の取り付けに際しては、保持部１０１のガイド溝１０２に前記吊下げ部材９５の揺動アーム部９７を保持部１０１のガイド溝１０２から差込み、次いで前記揺動アーム部９７を保持部１０１内にセットした上、ピボット状の支軸９８が上向きになるようにするだけでセットでき、かつ抜け止めされる。
このような抜け止め防止としては、カシメ等によって開口部分の幅を縮めたり、閉鎖用シール等で閉じることにより、前記揺動アーム部９７がガイド溝１０２から抜け落ちるのを防止することができる。
【産業上の利用可能性】
【００３１】
なお、前記各実施例では本発明に係る装身具としてペンダントを例にして説明したが、ペンダントに限定されるものではなく、ブレスレットやブローチ、イヤリングその他の装身具に適用してもよいことは勿論である。
なお、実施例では宝石としてダイヤモンドを示したが、ダイヤモンドに限定されないことは勿論である。
【符号の説明】
【００３２】
１１  装身具
１２  装身具用枠体
１３，１３  分岐アーム部
１４  装飾部材
１４ａ  宝石
１５  揺動アーム部
１６  ピボット状の支軸
２１  軸受凹部
２１ａ  駒状ストッパ
２１ｂ  駒状ストッパ
２１ｃ  第１凹部
２１ｄ  第２凹部
３１  装身具
３２  装身具用枠体
３３，３３  分岐アーム部
３４  装飾部材
３４ａ  宝石
３５  揺動アーム部
３６  ピボット状の支軸
４１  軸受凹部
５１  装身具
５２  装身具用枠体
５３，５３  分岐アーム部
５４  装飾部材
５４ａ  宝石
６１  軸受凹部
６２  保持筒
６３  開口部
６４  筒状ストッパ
６４  開口部
７１  装身具
７２  装身具用枠体
７３  リング状分岐アーム部
７４  装飾部材
７４ａ  宝石
７５  揺動アーム
７６  ピボット状の支軸
７７  バランスウエイト
８１  軸受凹部
８２  保持筒
８３  開口部
８４  筒状ストッパ
８５  開口部
９１  装身具
９２  装身具用枠体
９３，９３  軸受凹部
９４  装飾部材
９４ａ  宝石
９５  吊下げ部材
９６  吊下げ孔
９７  揺動アーム部
９８  ピボット状の支軸
９９  スペーサ
１００  安定片
１０１  保持筒
１０２  開口部
【要約】
【課題】本発明は、装飾部材の動きがスムーズで、均一な品質の装身具を得ようとするものである。
【解決手段】
所定の間隔で一対の軸受凹部を配置した装身具用枠体と、当該装身具用枠体に一体的に保持された装飾部材とを備え、
他方、延長端部に上向きにピボット状の支軸が形成された揺動アーム部を両側に突設した吊下げ部材を用意し、
前記装身具用枠体に配置された軸受凹部に、前記揺動アーム部のピボット状の支軸が係合することにより、装飾部材を備えた装身具用枠体を吊下げ部材に揺動自在に取り付けたことを特徴とする装身具。
【選択図】図２５【図１】
0005976248.tif 000002
【図２】
0005976248.tif 000003
【図３】
0005976248.tif 000004
【図４】
0005976248.tif 000005
【図５】
0005976248.tif 000006
【図６】
0005976248.tif 000007
【図７】
0005976248.tif 000008
【図８】
0005976248.tif 000009
【図９】
0005976248.tif 000010
【図１０】
0005976248.tif 000011
【図１１】
0005976248.tif 000012
【図１２】
0005976248.tif 000013
【図１３】
0005976248.tif 000014
【図１４】
0005976248.tif 000015
【図１５】
0005976248.tif 000016
【図１６】
0005976248.tif 000017
【図１７】
0005976248.tif 000018
【図１８】
0005976248.tif 000019
【図１９】
0005976248.tif 000020
【図２０】
0005976248.tif 000021
【図２１】
0005976248.tif 000022
【図２２】
0005976248.tif 000023
【図２３】
0005976248.tif 000024
【図２４】
0005976248.tif 000025
【図２５】
0005976248.tif 000026
【図２６】
0005976248.tif 000027
【図２７】
0005976248.tif 000028
【図２８】
0005976248.tif 000029
【図２９】
0005976248.tif 000030
【図３０】
0005976248.tif 000031
【図３１】
0005976248.tif 000032
【図３２】
0005976248.tif 000033
【図３３】
0005976248.tif 000034
【図３４】
0005976248.tif 000035
【図３５】
0005976248.tif 000036
【図３６】
0005976248.tif 000037
【図３７】
0005976248.tif 000038
【図３８】
0005976248.tif 000039
【図３９】
0005976248.tif 000040
【図４０】
0005976248.tif 000041
【図４１】
0005976248.tif 000042
【図４２】
0005976248.tif 000043
【図４３】
0005976248.tif 000044
【図４４】
0005976248.tif 000045
【図４５】
0005976248.tif 000046
【図４６】
0005976248.tif 000047
【図４７】
0005976248.tif 000048
【図４８】
0005976248.tif 000049
【図４９】
0005976248.tif 000050
【図５０】
0005976248.tif 000051